(57)【特許請求の範囲】
【請求項１】
表示パネルのゲート線を走査しながら１本のソース出力を複数のソース線に分割して各ソース線を駆動するマルチプレクス駆動により、右目用画像に対応した画像データ及び左目用画像に対応した画像データに基づいて、前記表示パネルを交互に駆動する表示駆動方法であって、
前記右目用画像に対応した複数の右目用駆動タイミングに対応したタイミング情報を第１の駆動タイミングレジスターに設定する右目用駆動タイミング設定ステップと、
前記第１の駆動タイミングレジスターに設定されるタイミング情報に基づいて、前記複数の右目用駆動タイミングのそれぞれの駆動タイミングで、順次、前記表示パネルを駆動する右目用駆動ステップと、
前記左目用画像に対応した複数の左目用駆動タイミングに対応したタイミング情報を第２の駆動タイミングレジスターに設定する左目用駆動タイミング設定ステップと、
前記第２の駆動タイミングレジスターに設定されるタイミング情報に基づいて、前記複数の左目用駆動タイミングのそれぞれの駆動タイミングで、順次、前記表示パネルを駆動する左目用駆動ステップとを含み、
前記右目用駆動タイミング設定ステップ及び前記左目用駆動タイミング設定ステップの各々では、
前記ソース線のプリチャージのイネーブル情報、及び前記表示パネルの表示周波数情報を含むタイミング情報を設定し、
前記右目用駆動ステップ及び前記左目用駆動ステップの各々では、
前記複数の右目用駆動タイミング又は前記複数の左目用駆動タイミングである複数の駆動タイミングの各駆動タイミングにおいて、
前記イネーブル情報によりプリチャージがイネーブルにされた場合には、前記ソース線をプリチャージした後に前記表示パネルを駆動し、前記イネーブル情報によりプリチャージがディスエーブルにされた場合には、前記ソース線をプリチャージすることなく前記表示パネルを駆動すると共に、前記表示周波数情報で設定される表示周波数で前記表示パネルを駆動することを特徴とする表示駆動方法。
【請求項２】
請求項１において、
前記右目用駆動ステップ及び前記左目用駆動ステップの各々では、
第１の画像〜第ｐ（ｐは２以上の整数）の画像の各画像データに基づいて駆動する場合、前記第１の画像に対応した画像データに基づいて駆動するときは、前記ソース線をプリチャージすることなく、第１の表示周波数で前記表示パネルの前記マルチプレクス駆動を行い、前記第ｐの画像に対応した画像データに基づいて駆動するときは、前記ソース線をプリチャージした後に、前記第１の表示周波数よりも低い第２の表示周波数で前記表示パネルの前記マルチプレクス駆動を行うことを特徴とする表示駆動方法。
【請求項３】
請求項１又は２において、
前記右目用駆動タイミング設定ステップ及び前記左目用駆動タイミング設定ステップの各々では、
１水平走査期間又は１垂直走査期間毎に、少なくとも１つのタイミング情報を前記第１の駆動タイミングレジスター又は前記第２の駆動タイミングレジスターに設定することを特徴とする表示駆動方法。
【請求項４】
請求項１乃至３のいずれかにおいて、
前記右目用駆動ステップ及び前記左目用駆動ステップの各々では、
各画像の表示周波数が直前の画像の表示周波数以下となるように前記表示パネルを駆動することを特徴とする表示駆動方法。
【請求項５】
請求項１乃至４のいずれかにおいて、
前記右目用駆動タイミング設定ステップ及び前記左目用駆動タイミング設定ステップの各々では、
前記ソース線のプリチャージタイミング、前記ソース出力を前記複数のソース線に分割する分割タイミング、前記ソース線のポストチャージタイミング、及び前記表示パネルへのソース出力タイミングの少なくとも１つを更に含むタイミング情報を設定することを特徴とする表示駆動方法。
【請求項６】
請求項５において、
前記ソース線のプリチャージ電圧レベルを設定するプリチャージ電圧レベル設定ステップを含むことを特徴とする表示駆動方法。
【請求項７】
請求項１乃至５のいずれかにおいて、
前記右目用駆動ステップ及び前記左目用駆動ステップの各々では、
直前の１水平走査期間分の画像データ及び当該１水平走査期間分の画像データに対応したプリチャージ電圧レベルに前記ソース線をプリチャージした後に前記マルチプレクス駆動を行うことを特徴とする表示駆動方法。
【請求項８】
表示パネルのゲート線を走査しながら１本のソース出力を複数のソース線に分割して各ソース線を駆動するマルチプレクス駆動により、右目用画像に対応した画像データ及び左目用画像に対応した画像データに基づいて、前記表示パネルを交互に駆動する駆動装置であって、
前記右目用画像に対応した複数の右目用駆動タイミングのタイミング情報が設定される第１の駆動タイミングレジスターと、
前記左目用画像に対応した複数の左目用駆動タイミングのタイミング情報が設定される第２の駆動タイミングレジスターと、
前記マルチプレクス駆動により、前記第１の駆動タイミングレジスター又は前記第２の駆動タイミングレジスターに設定されたタイミング情報に基づき前記ソース線を駆動する駆動部とを含み、
前記第１の駆動タイミングレジスター及び前記第２の駆動タイミングレジスターの各々には、
前記ソース線のプリチャージのイネーブル情報、及び前記表示パネルの表示周波数情報を含むタイミング情報が設定され、
前記駆動部は、
前記複数の右目用駆動タイミング又は前記複数の左目用駆動タイミングである複数の駆動タイミングの各駆動タイミングにおいて、
前記イネーブル情報によりプリチャージがイネーブルにされた場合には、前記ソース線をプリチャージした後に前記表示パネルを駆動し、前記イネーブル情報によりプリチャージがディスエーブルにされた場合には、前記ソース線をプリチャージすることなく前記表示パネルを駆動すると共に、前記表示周波数情報で設定される表示周波数で前記表示パネルを駆動することを特徴とする駆動装置。
【請求項９】
請求項８において、
前記駆動部は、
第１の画像〜第ｐ（ｐは２以上の整数）の画像の各画像データに基づいて駆動する場合、前記第１の画像に対応した画像データに基づいて駆動するときは、前記ソース線をプリチャージすることなく、第１の表示周波数で前記表示パネルの前記マルチプレクス駆動を行い、前記第ｐの画像に対応した画像データに基づいて駆動するときは、前記ソース線をプリチャージした後に、前記第１の表示周波数よりも低い第２の表示周波数で前記表示パネルの前記マルチプレクス駆動を行うことを特徴とする駆動装置。
【請求項１０】
請求項８又は９において、
第１のプリチャージ電圧レベルに対応した設定情報が設定される第１のプリチャージ電圧レジスターと、
第２のプリチャージ電圧レベルに対応した設定情報が設定される第２のプリチャージ電圧レジスターとを含み、
前記駆動部は、
前記右目用画像に対応した複数の右目用駆動タイミングの少なくとも１つの駆動タイミングで、前記第１のプリチャージ電圧レベルに前記ソース線をプリチャージした後に前記マルチプレクス駆動を行い、前記左目用画像に対応した複数の左目用駆動タイミングの少なくとも１つの駆動タイミングで、前記第２のプリチャージ電圧レベルに前記ソース線をプリチャージした後に前記マルチプレクス駆動を行うことを特徴とする駆動装置。
【請求項１１】
請求項８又は９において、
前記駆動部は、
直前の１水平走査期間分の画像データ及び当該１水平走査期間分の画像データに対応したプリチャージ電圧レベルに前記ソース線をプリチャージした後に前記マルチプレクス駆動を行うことを特徴とする駆動装置。
【請求項１２】
前記表示パネルと、
請求項８乃至１１のいずれか記載の駆動装置とを含むことを特徴とする電気光学装置。
【請求項１３】
請求項８乃至１１のいずれか記載の駆動装置を含むことを特徴とする電子機器。
【発明の詳細な説明】
【技術分野】
【０００１】
本発明は、表示駆動方法、駆動装置、電気光学装置及び電子機器等に関する。
【背景技術】
【０００２】
従来より、液晶パネルを用いた液晶プロジェクターでは、投射映像の高精細化に対する要求が高く、液晶パネルの画素数は非常に多くなっている。そのため、駆動装置は、出力数に制限がある中で液晶パネルを駆動しなければならなくなっている。そこで、駆動装置は、例えば液晶パネルのゲート線を走査しながら、１ソース出力を複数のソース線に分割して各ソース線を駆動するマルチプレクス駆動を行う。
【０００３】
一方、近年では、液晶プロジェクターに対して、投射映像の３Ｄ化に対する要求も高まっている。右目用画像と左目用画像とを交互に表示するために、駆動装置は、単純に元画像の表示周波数の２倍の周波数で液晶パネルを駆動する必要がある。しかしながら、実際には右目用画像が視聴者の左目に入ったり左目用画像が視聴者に右目に入ったりすることによるクロストークをなくし、且つ、輝度の低下を防止するためには、駆動装置は、元画像の表示周波数の４倍以上の周波数で駆動することが望まれる。
【０００４】
例えば特許文献１には、充電期間の前半期間にインピーダンス変換回路の出力電圧を負荷容量に供給し、充電期間の後半期間にインピーダンス変換回路をバイパスして直接に負荷容量に電圧を供給する電圧供給装置が開示されている。これにより、液晶パネルのソース線を、高精度、且つ、高速に、必要な充電電圧にまで充電することができる。また、例えば特許文献２には、画像信号を表示パネルの所定本数のデータ線を１群とするデータ線群に対応した信号部分に分割し、データ線群をなすデータ線の各々に信号部分を振り分けられる順番を表示パネル毎に変更するようにした駆動装置が開示されている。更にまた、例えば特許文献３には、タイミングの設定を行い、入力されるタイミングに応じて表示場所を変更するための信号を変化させるマトリクス表示装置が開示されている。
【先行技術文献】
【特許文献】
【０００５】
【特許文献１】特開２００１−１８８６１５号公報
【特許文献２】特開２００９−１２２１５７号公報
【特許文献３】特開平１１−２４６２４号公報
【発明の概要】
【発明が解決しようとする課題】
【０００６】
しかしながら、高精細な３Ｄ映像を表示するために、特許文献１〜特許文献３に開示された技術を用いても、液晶パネルの画素への書き込み時間を十分に確保することができないという問題がある。
【０００７】
また、この種の液晶パネルでは、液晶素子の印加電圧の極性を周期的に変更する極性反転駆動が行われる。このとき、画素を構成するトランジスターを介した対向電極の電圧が、液晶素子の印加電圧の極性に応じて異なる。そのため、対向電極の最適電圧が極性反転駆動を繰り返すと共にずれてくるという現象が生ずる。しかしながら、特許文献１〜特許文献３に開示された技術を用いても、この種の現象を解消することはできないという問題がある。
【０００８】
本発明は、以上のような技術的課題に鑑みてなされたものである。本発明の幾つかの態様によれば、表示周波数が高くなっても画素への書き込み時間を確保し、且つ、対向電極の最適電圧のずれを解消する表示駆動方法、駆動装置、電気光学装置及び電子機器等を提供することができる。
【課題を解決するための手段】
【０００９】
（１）本発明の第１の態様は、表示パネルのゲート線を走査しながら１本のソース出力を複数のソース線に分割して各ソース線を駆動するマルチプレクス駆動により、右目用画像に対応した画像データ及び左目用画像に対応した画像データに基づいて、前記表示パネルを交互に駆動する表示駆動方法が、前記右目用画像に対応した複数の右目用駆動タイミングに対応したタイミング情報を第１の駆動タイミングレジスターに設定する右目用駆動タイミング設定ステップと、前記第１の駆動タイミングレジスターに設定されるタイミング情報に基づいて、前記複数の右目用駆動タイミングのそれぞれの駆動タイミングで、順次、前記表示パネルを駆動する右目用駆動ステップと、前記左目用画像に対応した複数の左目用駆動タイミングに対応したタイミング情報を第２の駆動タイミングレジスターに設定する左目用駆動タイミング設定ステップと、前記第２の駆動タイミングレジスターに設定されるタイミング情報に基づいて、前記複数の左目用駆動タイミングのそれぞれの駆動タイミングで、順次、前記表示パネルを駆動する左目用駆動ステップとを含み、前記右目用駆動ステップ及び前記左目用駆動ステップの各々では、前記ソース線をプリチャージした後に前記表示パネルを駆動し、又は前記ソース線をプリチャージすることなく前記表示パネルを駆動する。
【００１０】
本態様においては、右目用画像及び左目用画像それぞれについて複数の駆動タイミングを設定できると共に、複数のプリチャージ電圧レベルを設定することができるようにしている。これにより、３Ｄ映像のように高速に画素に書き込む必要があるときには、右目用画像及び左目用画像それぞれについて、駆動タイミングを変更しながら交互に表示させることができるようになる。また、右目用画像及び左目用画像それぞれについて、ソース線のプリチャージを行ったり、該プリチャージを省いたりすることができるので、極性反転駆動における正極性期間のみを長くすることもできる。そのため、対向電極の最適電圧が極性反転駆動を繰り返すと共にずれてくるという現象を解消することができるようになる。
【００１１】
（２）本発明の第２の態様に係る表示駆動方法は、第１の態様において、前記右目用駆動タイミング設定ステップ及び前記左目用駆動タイミング設定ステップの各々では、１水平走査期間又は１垂直走査期間毎に、少なくとも１つのタイミング情報を前記第１の駆動タイミングレジスター又は前記第２の駆動タイミングレジスターに設定する。
【００１２】
本態様によれば、１水平走査期間又は１垂直走査期間毎に、右目用画像又は左目用画像の駆動タイミングを変更できるようにしたので、画素の書き込み時間の確保に、柔軟に対応することができるようになる。
【００１３】
（３）本発明の第３の態様に係る表示駆動方法は、第１の態様又は第２の態様において、前記右目用駆動ステップ及び前記左目用駆動ステップの各々では、各画像の表示周波数が直前の画像の表示周波数以下となるように前記表示パネルを駆動する。
【００１４】
本態様によれば、右目用画像及び左目用画像のクロストークを低減する一方で、表示に影響する最後の画像のみ画素の書き込み時間を確保することができるようになる。
【００１５】
（４）本発明の第４の態様に係る表示駆動方法は、第３の態様において、前記右目用駆動ステップ及び前記左目用駆動ステップの各々では、同一の表示周波数で連続する第１の画像〜第ｐ（ｐは２以上の整数）の画像の各画像データに基づいて駆動する場合、前記第１の画像に対応した画像データに基づいて駆動するときは前記ソース線をプリチャージすることなく前記マルチプレクス駆動を行い、前記第ｐの画像に対応した画像データに基づいて駆動するときは前記ソース線をプリチャージした後に前記マルチプレクス駆動を行う。
【００１６】
本態様によれば、プリチャージ時間を省略して、画素の書き込み時間を確保する一方、表示に影響する最後の画像については、プリチャージ時間を確保して、表示に影響がないようにすることができる。
【００１７】
（５）本発明の第５の態様に係る表示駆動方法は、第１の態様乃至第４の態様のいずれかにおいて、前記右目用駆動タイミング設定ステップ及び前記左目用駆動タイミング設定ステップの各々では、前記ソース線のプリチャージのイネーブル情報、前記ソース線のプリチャージタイミング、前記ソース出力を前記複数のソース線に分割する分割タイミング、前記表示パネルの表示周波数、前記ソース線のポストチャージタイミング、及び前記表示パネルへのソース出力タイミングの少なくとも１つを含むタイミング情報を設定する。
【００１８】
本態様によれば、画素への書き込み時間を種々の方法で確保することができるようになる。
【００１９】
（６）本発明の第６の態様に係る表示駆動方法は、第５の態様において、前記ソース線のプリチャージ電圧レベルを設定するプリチャージ電圧レベル設定ステップを含む。
【００２０】
本態様によれば、プリチャージ電圧レベルを最適化することでプリチャージ期間を短縮することができるので、画素への書き込み時間を確保することができるようになる。
【００２１】
（７）本発明に第７の態様に係る表示駆動方法は、第１の態様乃至第５の態様のいずれかにおいて、前記右目用駆動ステップ及び前記左目用駆動ステップの各々では、直前の１水平走査期間分の画像データ及び当該１水平走査期間分の画像データに対応したプリチャージ電圧レベルに前記ソース線をプリチャージした後に前記マルチプレクス駆動を行う。
【００２２】
本態様によれば、プリチャージ電圧レベルを最適化することができるので、短期間でも確実にプリチャージを行うことができるようになり、表示に影響を与えることなく、画素への書き込み時間を確保することができるようになる。
【００２３】
（８）本発明の第８の態様は、第１の画像に対応した画像データ及び第２の画像に対応した画像データに基づいて、表示パネルのソース線を駆動する駆動装置が、前記第１の画像に対応した複数の駆動タイミングのタイミング情報が設定される第１の駆動タイミングレジスターと、前記第２の画像に対応した複数の駆動タイミングのタイミング情報が設定される第２の駆動タイミングレジスターと、１本のソース出力を表示パネルの複数のソース線に分割して各ソース線を駆動するマルチプレクス駆動により、前記第１の駆動タイミングレジスター又は前記第２の駆動タイミングレジスターに設定されたタイミング情報に基づき前記ソース線を駆動する駆動部とを含み、前記駆動部は、前記第１の画像に対応した複数の駆動タイミングのそれぞれの駆動タイミングで、順次、前記ソース線を駆動し、前記第２の画像に対応した複数の駆動タイミングのそれぞれの駆動タイミングで、順次、前記ソース線を駆動する。
【００２４】
本態様においては、第１の画像及び第２の画像それぞれについて複数の駆動タイミングを設定できると共に、複数のプリチャージ電圧レベルを設定することができるようにしている。これにより、高速に画素に書き込む必要があるときには、第１の画像及び第２の画像それぞれについて、駆動タイミングを変更しながら交互に表示させることができるようになる。また、第１の画像及び第２の画像それぞれについて、ソース線のプリチャージを行ったり、該プリチャージを省いたりすることができるので、極性反転駆動における正極性期間のみを長くすることもできる。そのため、対向電極の最適電圧が極性反転駆動を繰り返すと共にずれてくるという現象を解消することができるようになる。
【００２５】
（９）本発明の第９の態様に係る駆動装置は、第８の態様において、第１のプリチャージ電圧レベルに対応した設定情報が設定される第１のプリチャージ電圧レジスターと、第２のプリチャージ電圧レベルに対応した設定情報が設定される第２のプリチャージ電圧レジスターとを含み、前記駆動部は、前記第１の画像に対応した複数の駆動タイミングの少なくとも１つの駆動タイミングで、前記第１のプリチャージ電圧レベルに前記ソース線をプリチャージした後に前記マルチプレクス駆動を行い、前記第２の画像に対応した複数の駆動タイミングの少なくとも１つの駆動タイミングで、前記第２のプリチャージ電圧レベルに前記ソース線をプリチャージした後に前記マルチプレクス駆動を行う。
【００２６】
本態様によれば、プリチャージ電圧レベルを最適化することでプリチャージ期間を短縮することができるので、画素への書き込み時間を確保することができるようになる。
【００２７】
（１０）本発明の第１０の態様に係る駆動装置では、第８の態様において、前記駆動部は、直前の１水平走査期間分の画像データ及び当該１水平走査期間分の画像データに対応したプリチャージ電圧レベルに前記ソース線をプリチャージした後に前記マルチプレクス駆動を行う。
【００２８】
本態様によれば、プリチャージ電圧レベルを最適化することができるので、短期間でも確実にプリチャージを行うことができるようになり、表示に影響を与えることなく、画素への書き込み時間を確保することができるようになる。
【００２９】
（１１）本発明の第１１の態様は、電気光学装置が、前記表示パネルと、第８の態様乃至第１０の態様のいずれか記載の駆動装置とを含む。
【００３０】
本態様によれば、表示周波数が高くなっても画素への書き込み時間を確保し、且つ、対向電極の最適電圧のずれを解消する電気光学装置を提供することができるようになる。
【００３１】
（１２）本発明の第１２の態様は、電子機器が、第８の態様乃至第１０の態様のいずれか記載の駆動装置を含む。
【００３２】
本態様によれば、表示周波数が高くなっても画素への書き込み時間を確保し、且つ、対向電極の最適電圧のずれを解消する駆動装置が適用された電子機器を提供することができるようになる。
【図面の簡単な説明】
【００３３】
【図１】第１の実施形態における駆動装置を備えた液晶表示装置の構成例を示す図。
【図２】第１の実施形態における表示同期信号の説明図。
【図３】表示同期信号が伝送される１対の差動信号線上の送信データの説明図。
【図４】図１のＩ／Ｆ部の構成例のブロック図。
【図５】図４の画像データ取込回路の処理例のフロー図。
【図６】図４の画像データ取込回路の処理例のフロー図。
【図７】図１のソースドライバーの構成例のブロック図。
【図８】図７の駆動制御部の構成例のブロック図。
【図９】第１の実施形態における駆動装置による液晶パネルの表示駆動の制御例のフロー図。
【図１０】第１の実施形態における駆動装置による液晶パネルの表示駆動の制御例のフロー図。
【図１１】第１の実施形態における液晶表示装置が適用されるプロジェクターシステムの構成の概要を示す図。
【図１２】図１１の光学系の構成の概要を示す図。
【図１３】図１１又は図１２の液晶装置の制御例の説明図。
【図１４】プリチャージ電圧レベルの設定例の説明図。
【図１５】第１の実施形態の比較例におけるマルチプレクス駆動の駆動タイミングの一例を示す図。
【図１６】第１の実施形態におけるマルチプレクス駆動の駆動タイミングの一例を示す図。
【図１７】第２の実施形態における駆動制御部の構成例のブロック図。
【発明を実施するための形態】
【００３４】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の課題を解決するために必須の構成要件であるとは限らない。
【００３５】
〔第１の実施形態〕
図１に、本発明の第１の実施形態における駆動装置を備えた液晶表示装置の構成例を示す。
【００３６】
液晶表示装置（広義には、電気光学装置）１０は、液晶パネル（表示パネル、電気光学パネル）１２と、駆動装置５０とを備えている。駆動装置５０は、Ｉ／Ｆ部９６と、ソースドライバー２０と、ゲートドライバー４０とを備えている。液晶表示装置１０の外部には、電源回路６０と、画像データ供給装置７０とが設けられている。なお、液晶表示装置１０は、図１の構成に限定されず、電源回路６０又は画像データ供給装置７０の少なくとも一部の機能を内蔵してもよい。また、画像データ供給装置７０の機能は、表示コントローラー及び中央演算処理装置（Central Processing Unit：ＣＰＵ）を有するホストにより分割して備えられていてもよい。
【００３７】
液晶パネル１２は、例えばアクティブマトリクス型の液晶パネルにより構成される。液晶パネル１２を構成する液晶基板には、図１のＹ方向に複数配列され、それぞれＸ方向に伸びるゲート線Ｇ１〜ＧＭ（Ｍは２以上の自然数）が配置される。また、この液晶基板には、Ｘ方向に複数配列され、それぞれＹ方向に伸びるソース線（データ線）Ｓ１１〜Ｓ８１、Ｓ１２〜Ｓ８２、・・・、Ｓ１Ｎ〜Ｓ８Ｎ（Ｎは２以上の自然数）が配置される。更に、この液晶基板には、ソース信号供給線Ｓ１〜ＳＮ（ソース電圧供給線、又はソース電流供給線）が設けられ、各ソース信号供給線に対応してデマルチプレクサーＤＭＵＸ１〜ＤＭＵＸＮが設けられる。なお、デマルチプレクサーＤＭＵＸ１〜ＤＭＵＸＮは、ソースドライバー２０に内蔵されていてもよい。
【００３８】
この液晶基板には、ゲート線（走査線）Ｇ１〜ＧＭとソース線Ｓ１１〜Ｓ８１、Ｓ１２〜Ｓ８２、・・・、Ｓ１Ｎ〜Ｓ８Ｎとの交差点に対応する位置に、薄膜トランジスターが設けられる。例えば、ゲート線Ｇｊ（ｊはＭ以下の自然数）とソース線Ｓ１ｋ（ｋはＮ以下の自然数）との交差点に対応する位置に、薄膜トランジスターＴｊｋ−１が設けられる。薄膜トランジスターＴｊｋ−１は、ゲート電極がゲート線Ｇｊに接続され、ソース電極がソース線Ｓ１ｋに接続され、ドレイン電極が画素電極ＰＥｊｋ−１に接続される。この画素電極ＰＥｊｋ−１と対向電極ＣＥ（共通電極、コモン電極）との間には、液晶容量ＣＬｊｋ−１（液晶素子、広義には電気光学素子）が形成される。
【００３９】
デマルチプレクサーＤＭＵＸ１〜ＤＭＵＸＮは、ソース信号供給線に供給された時分割のソース電圧をソース線に分割（分離、デマルチプレクス）して供給する。具体的には、デマルチプレクサーＤＭＵＸｋは、各ソース線に対応するスイッチ素子（複数のデマルチプレクス用スイッチング素子）を備える。そして、ソースドライバー２０からのデマルチプレクス用スイッチ信号ＳＥＬ１〜ＳＥＬ８（マルチプレクス制御信号）によってスイッチ素子がオン・オフ制御され、ソース信号供給線Ｓｋに供給されたソース電圧がソース線Ｓ１ｋ〜Ｓ８ｋに分割して供給される。
【００４０】
なお、図１では、説明を簡単にするために、ソース信号供給線Ｓｋに対応するデマルチプレクサーＤＭＵＸｋ及びソース線Ｓ１ｋ〜Ｓ８ｋのみを図示している。また、ソース線Ｓ１ｋ〜Ｓ８ｋとゲート線Ｇｊとの交差点に対応する位置に設けられた薄膜トランジスターのみを図示している。他のソース信号供給線に対応するデマルチプレクサー及びソース線、他のソース線とゲート線との交差点に対応する位置に設けられる薄膜トランジスターについても同様である。
【００４１】
Ｉ／Ｆ部９６は、画像データ供給装置７０から供給される画像データ、該画像データに対応した表示同期信号（垂直同期信号ＶＳＹＮＣ、水平同期信号ＨＳＹＮＣ）、及び画素クロックの受信インターフェース処理を行う。また、画像データ供給装置７０は、駆動装置５０に対して表示制御信号（極性反転信号ＰＯＬ）を供給することができるようになっており、ＣＭＯＳ−ＩＦにより画像データ供給装置７０から駆動装置５０に直接に出力する。Ｉ／Ｆ部９６において取り込まれた画像データ等は、ソースドライバー２０やゲートドライバー４０にも供給される。
【００４２】
ソースドライバー２０は、画像データ（階調データ）に基づいて時分割されたソース電圧をソース信号供給線Ｓ１〜ＳＮに出力し、ソース信号供給線Ｓ１〜ＳＮを駆動する。一方、ゲートドライバー４０は、液晶パネル１２のゲート線Ｇ１〜ＧＭを走査（順次駆動）する。
【００４３】
電源回路６０は、外部から供給される基準電圧（電源電圧）に基づいて、液晶パネル１２の駆動に必要な各種の電圧レベル（例えば、階調電圧生成用の基準電圧）や、対向電極ＣＥの対向電極電圧ＶＣＯＭの電圧レベルを生成する。
【００４４】
画像データ供給装置７０は、液晶表示装置１０が表示する画像に対応した画像データを生成し、該画像データを駆動装置５０（具体的にはソースドライバー２０）に供給する。また、画像データ供給装置７０は、駆動装置５０及び電源回路６０を制御する。例えば、画像データ供給装置７０は、駆動装置５０に対して、動作モードの設定や内部で生成した表示同期信号の供給を行う。画像データ供給装置７０は、例えば図示しないホストにより設定された内容に従って、これらの制御を行う。そのため、画像データ供給装置７０と駆動装置５０との間には、例えば複数対の差動信号線が設けられており、画像データの各ビット、表示同期信号、及び画素クロックがシリアル転送されるようになっている。なお、画像データ供給装置７０から駆動装置５０に出力する表示制御信号についても、表示同期信号と同様にシリアル転送するようにしてもよい。また、表示制御信号のうち例えば極性反転信号ＰＯＬは、駆動装置５０の内部で生成するようにしてもよい。
【００４５】
図２に、第１の実施形態における表示同期信号の説明図を示す。図２は、表示同期信号、画像データ及びこれに対応するデータイネーブル信号ＤＥのタイミングの一例を表す。
【００４６】
第１の実施形態における表示同期信号は、垂直同期信号ＶＳＹＮＣ及び水平同期信号ＨＳＹＮＣにより構成される。垂直同期信号ＶＳＹＮＣは、１垂直走査期間を規定する信号である。水平同期信号ＨＳＹＮＣは、１水平走査期間を規定する信号である。画像データの先頭は、水平同期信号ＨＳＹＮＣを基準に予め決められた期間（画素クロック数分）により決められる。画像データの有効期間は、データイネーブル信号ＤＥによって特定される。このデータイネーブル信号ＤＥは、駆動装置５０において生成される。
【００４７】
図３に、表示同期信号が伝送される１対の差動信号線上の送信データの説明図を示す。
【００４８】
画像データ供給装置７０は、画素クロックや画像データの各ビットをシリアルデータとして転送すると共に、図３に示す構成を有する送信データを駆動装置５０に供給することができる。この送信データの１転送単位内には、水平同期信号ＨＳＹＮＣや垂直同期信号ＶＳＹＮＣの格納位置が決められている。水平同期信号ＨＳＹＮＣの格納位置には、予め決められた例えば２４ビットのデータ“０１１１・・・・・１０”（最上位ビット及び最下位ビットが“０”で、残りが“１”のデータ）が格納される。垂直同期信号ＶＳＹＮＣの格納位置には、予め決められた例えば２４ビットのデータ“１１・・・１１”（全ビットが“１”のデータ）が格納される。
【００４９】
また、この送信データには、水平同期信号ＨＳＹＮＣ及び垂直同期信号ＶＳＹＮＣからなる表示同期信号と時分割でコマンドデータの格納位置が決められている。コマンドデータは、駆動装置５０による液晶パネル１２の表示の制御を行うためのデータである。コマンドデータの格納位置には、格納するコマンドデータに対応した例えば２４ビットのビットデータが格納される。そのため、表示同期信号の転送期間以外の空き期間を利用して、駆動装置５０を制御するためのコマンドに対応したコマンドデータを転送することができるようになっている。これにより、画像データ供給装置７０は、例えば１水平走査期間毎にコマンドデータを送信することで、１水平走査期間毎に駆動装置５０の制御内容を変更することができるようになる。また、コマンドデータの格納次第で任意の時間間隔で駆動装置５０を制御することができ、例えば１垂直走査期間毎にコマンドデータを送信し、駆動装置５０を制御することも可能である。
【００５０】
図４に、図１のＩ／Ｆ部９６の構成例のブロック図を示す。図４は、Ｉ／Ｆ部９６に加えて画像データ供給装置７０も図示している。図４において、図１と同様の部分には同一符号を付し、適宜説明を省略する。
【００５１】
画像データ供給装置７０は、画像データ、画像データに対応した表示同期信号、表示制御信号、及び画素クロックを生成する。このような画像データ供給装置７０は、送信Ｉ／Ｆ回路７２を備えている。送信Ｉ／Ｆ回路７２は、差動送信器ＳＤ１〜ＳＤ１４及び出力バッファーＯＢＵＦを備えている。差動送信器ＳＤ１〜ＳＤ１２のそれぞれは、画像データを例えば１２ビット幅のシリアルデータに変換することにより得られる各ビットに対応して設けられる。差動送信器ＳＤ１〜ＳＤ１２は、１２対の差動信号線Ｄ０Ｐ、Ｄ０Ｎ、Ｄ１Ｐ、Ｄ１Ｎ、・・・、Ｄ１１Ｐ、Ｄ１１Ｎを介して、画像データを駆動装置５０に対して送信する。差動送信器ＳＤ１３は、表示同期信号及びコマンドデータが時分割される表示同期データＳＹＮＣを送信する。具体的には、差動送信器ＳＤ１３は、１対の差動信号線ＳＹＮＣＰ、ＳＹＮＣＮを介して、この表示同期データを駆動装置５０に対して送信する。差動送信器ＳＤ１４は、画素クロックを送信する。具体的には、差動送信器ＳＤ１４は、１対の差動信号線ＣＬＫＰ、ＣＬＫＮを介して、画素クロックを駆動装置５０に対して送信する。出力バッファーＯＢＵＦは、極性反転信号ＰＯＬに対応した送信信号を駆動装置５０に対して出力する。この極性反転信号ＰＯＬは、液晶素子の印加電圧の極性反転周期を規定する信号である。
【００５２】
Ｉ／Ｆ部９６は、受信Ｉ／Ｆ回路９７と、画像データ取込回路９８とを備えている。受信Ｉ／Ｆ回路９７は、送信Ｉ／Ｆ回路９２の差動送信器に対応して、差動受信器ＲＤ１〜ＲＤ１４、入力バッファーＩＢＵＦを備えている。受信Ｉ／Ｆ回路９７は、差動信号線を介して差動受信器において受信した差動信号を増幅して、対応する受信信号を受信したり、信号線を介して入力バッファーにおいて増幅して受信信号を受信する。具体的には、受信Ｉ／Ｆ回路９７は、画像データの各ビットに対応した差動信号線を介して受信した差動信号を増幅して、１２ビットの画像データＤ０〜Ｄ１１を受信する。また受信Ｉ／Ｆ回路９７は、表示同期データに対応した差動信号線ＳＹＮＣＰ、ＳＹＮＣＮを介して受信した差動信号を増幅して、表示同期データＳＹＮＣを受信する。更に、受信Ｉ／Ｆ回路９７は、画素クロックに対応した差動信号線ＣＬＫＰ、ＣＬＫＮを介して受信した差動信号を増幅して、画素クロックＣＬＫを受信する。更にまた、受信Ｉ／Ｆ回路９７は、信号線を介して受信した信号を受信して、極性反転信号ＰＯＬを受信する。
【００５３】
Ｉ／Ｆ部９６では、差動受信器ＲＤ１〜ＲＤ１２により受信された画像データが、差動受信器ＲＤ１３、ＲＤ１４により受信された表示同期データ及び画素クロックを用いて、画像データ取込回路９８において取り込まれる。また、入力バッファーＩＢＵＦにより受信された極性反転信号ＰＯＬは、一旦、画像データ取込回路９８に取り込まれた後、ソースドライバー２０等に供給されるようになっている。
【００５４】
画像データ取込回路９８は、受信Ｉ／Ｆ回路９７において受信された画素クロックＣＬＫに基づき、表示同期データＳＹＮＣに含まれる表示同期信号より規定される画像データＤ０〜Ｄ１１を取り込む。具体的には、画像データ取込回路９８は、一旦、ｍ（ｍは２以上の整数）相のデータ取込クロックで画像データを取り込む。それと共に、画像データ取込回路９８は、ｎ（ｎは２以上の整数、但し、ｎ≦ｍ）相の取込基準クロックで、該画像データの先頭を規定する水平同期信号ＨＳＹＮＣを取り込む。ｎ相の取込基準クロック及びｍ相のデータ取込クロックは、画素クロックＣＬＫを分周することにより得られる。画像データ取込回路９８は、ｎ相の取込基準クロックのうち、水平同期信号ＨＳＹＮＣを取り込んだ取込基準クロックを判定する。また、画像データ取込回路９８は、ｍ相のデータ取込クロックにより画像データを取り込む（１次ラッチ）。そして、画像データ取込回路９８は、判定された取込基準クロックに応じて、既に取り込まれている画像データを並び替え、並び替えた画像データをラッチする（２次ラッチ）。こうすることで、高い周波数で画像データ供給装置７０から画像データ等が供給される場合であっても、画像データ取込回路９８は、正確に画像データ等を取り込むことができるようになる。
【００５５】
例えば、ｎはｍ／２であることが望ましい。こうすることで、取込基準クロックの立ち上がりエッジ及び立ち下がりエッジに同期したデータ取込クロックを用いることができ、非常に簡素な構成で取込基準クロック及びデータ取込クロックを生成することができる。
【００５６】
また、画像データ取込回路９８は、取り込まれた水平同期信号ＨＳＹＮＣを基準に、コマンドデータを取り込むことができる。画像データ取込回路９８は、取り込んだコマンドデータをソースドライバー２０に供給する。これにより、ソースドライバー２０は、画像データ供給装置７０からのコマンドに対応した制御が行われる。
【００５７】
図５及び図６に、図４の画像データ取込回路９８の処理例のフロー図を示す。図５は、画像データ取込回路９８における表示同期データＳＹＮＣの取込処理のフロー図を表す。図５では、表示同期データＳＹＮＣを４（＝ｎ）相の取込基準クロックＣＬＫ１〜ＣＬＫ４で取り込む例を示している。図６は、画像データ取込回路９８における画像データの取込処理のフロー図を表す。図６では、画像データを８（＝ｍ）相のデータ取込クロックＣＬＫＡ〜ＣＬＫＨで取り込む例を示している。
【００５８】
まず、画像データ取込回路９８は、４相の取込基準クロックＣＬＫ１〜ＣＬＫ４で表示同期データＳＹＮＣを取り込む（ステップＳＴ１０）。この表示同期データＳＹＮＣには、画像データの先頭を規定する水平同期信号ＨＳＹＮＣ及びコマンドデータが含まれる。次に、画像データ取込回路９８は、ステップＳＴ１０で取り込んだ信号パターンが、予め決められたＶＳＹＮＣパターン又はＨＳＹＮＣパターンと一致するか否かを判定する。こうすることで、ステップＳＴ１０において取り込まれた表示同期信号（特に、水平同期信号ＨＳＹＮＣ）が、どの取込基準クロックで取り込まれたかを判定することができる。
【００５９】
具体的には、画像データ取込回路９８は、ステップＳＴ１０で取り込んだ信号パターンが、ＶＳＹＮＣパターンと一致するか否かを判定する（ステップＳＴ１２）。ステップＳＴ１０で取り込んだ信号パターンがＶＳＹＮＣパターンと一致すると判定されたとき（ステップＳＴ１２：Ｙ）、画像データ取込回路９８は、垂直同期信号ＶＳＹＮＣが転送されてきたと判定する（ステップＳＴ１４、エンド）。
【００６０】
ステップＳＴ１０で取り込んだ信号パターンが第１のＨＳＹＮＣパターンと一致しないと判定されたとき（ステップＳＴ１４：Ｎ）、画像データ取込回路９８は、信号パターンが、第１のＨＳＹＮＣパターンと一致するか否かを判定する（ステップＳＴ１６）。信号パターンが第１のＨＳＹＮＣパターンと一致すると判定されたとき（ステップＳＴ１６：Ｙ）、画像データ取込回路９８は、水平同期信号ＨＳＹＮＣが取込基準クロックＣＬＫ１で取り込まれたと判定する（ステップＳＴ１８、エンド）。
【００６１】
ステップＳＴ１０で取り込んだ信号パターンが第１のＨＳＹＮＣパターンと一致しないと判定されたとき（ステップＳＴ１６：Ｎ）、画像データ取込回路９８は、上記の信号パターンが第２のＨＳＹＮＣパターンと一致するか否かを判定する（ステップＳＴ２０）。信号パターンが第２のＨＳＹＮＣパターンと一致すると判定されたとき（ステップＳＴ２０：Ｙ）、画像データ取込回路９８は、水平同期信号ＨＳＹＮＣが取込基準クロックＣＬＫ２で取り込まれたと判定する（ステップＳＴ２２、エンド）。
【００６２】
ステップＳＴ１０で取り込んだ信号パターンが第２のＨＳＹＮＣパターンと一致しないと判定されたとき（ステップＳＴ２０：Ｎ）、画像データ取込回路９８は、上記の信号パターンが第３のＨＳＹＮＣパターンと一致するか否かを判定する（ステップＳＴ２４）。信号パターンが第３のＨＳＹＮＣパターンと一致すると判定されたとき（ステップＳＴ２４：Ｙ）、画像データ取込回路９８は、水平同期信号ＨＳＹＮＣが取込基準クロックＣＬＫ３で取り込まれたと判定する（ステップＳＴ２６、エンド）。
【００６３】
ステップＳＴ１０で取り込んだ信号パターンが第３のＨＳＹＮＣパターンと一致しないと判定されたとき（ステップＳＴ２４：Ｎ）、画像データ取込回路９８は、上記の信号パターンが第４のＨＳＹＮＣパターンと一致するか否かを判定する（ステップＳＴ２８）。信号パターンが第４のＨＳＹＮＣパターンと一致すると判定されたとき（ステップＳＴ２８：Ｙ）、画像データ取込回路９８は、水平同期信号ＨＳＹＮＣを取込基準クロックＣＬＫ４で取り込まれたと判定する（ステップＳＴ３０、エンド）。
【００６４】
ステップＳＴ１０で取り込んだ信号パターンが第４のＨＳＹＮＣパターンと一致しないと判定されたとき（ステップＳＴ２８：Ｎ）、画像データ取込回路９８は、上記の信号パターンがコマンドデータと一致するか否かを判定する（ステップＳＴ３２）。ステップＳＴ１０で取り込んだ信号パターンがコマンドデータと一致すると判定されたとき（ステップＳＴ３２：Ｙ）、画像データ取込回路９８は、該コマンドデータを取り込む（ステップＳＴ３４、エンド）。
【００６５】
ステップＳＴ１０で取り込んだ信号パターンがコマンドデータと一致しないと判定されたとき（ステップＳＴ３２：Ｎ）、画像データ取込回路９８は、そのまま一連の処理を終了する（エンド）。
【００６６】
順次送られる画像データについては、画像データ取込回路９８は、図６に示すように、８相のデータ取込クロックＣＬＫＡ〜ＣＬＫＨを用いて画像データを一旦取り込む（ステップＳＴ４０）。即ち、画像データ取込回路９８は、８相のデータ取込クロックＣＬＫＡ〜ＣＬＫＨで画像データを１次ラッチする。
【００６７】
次に、画像データ取込回路９８は、図５のステップＳＴ１８、ステップＳＴ２２、ステップＳＴ２６、又はステップＳＴ３０における判定結果を用いて、ステップＳＴ４０で取り込んだ画像データを並び替える（ステップＳＴ４２）。即ち、４相の取込基準クロックＣＬＫ１〜ＣＬＫ４のうち水平同期信号ＨＳＹＮＣが取り込まれた取込基準クロックに応じて、ステップＳＴ４０において取り込まれた画像データを並び替える。ステップＳＴ４２では、４相の取込基準クロックＣＬＫ１〜ＣＬＫ４により取り込まれたデータが水平同期信号ＨＳＹＮＣに対応したパターンと一致する取込基準クロックに応じて、ステップＳＴ１０において取り込まれたデータを並び替える。
【００６８】
そして、画像データ取込回路９８は、ステップＳＴ４２において並び替えられた画像データを、２次ラッチし（ステップＳＴ４４）、一連の処理を終了する（エンド）。
【００６９】
以上のように、画像データ取込回路９８は、高速に表示同期データが転送されて水平同期信号ＨＳＹＮＣのパルス幅が非常に短くなった場合でも、正確に水平同期信号ＨＳＹＮＣと、これに対応する画像データとを取り込むことができるようになる。この際、画素クロックＣＬＫを分周して得られるｍ相のデータ取込クロック及びｎ相の取込基準クロックを用いたので、高速に動作する分周回路等に余分な制御を行う必要がなく、この制御に伴う動作不具合（例えばヒゲの発生）の可能性をなくすこともできる。
【００７０】
画像データ取込回路９８は、こうして水平同期信号ＨＳＹＮＣを基準として画像データを取り込み、該画像データが有効であることを示すデータイネーブル信号ＤＥを生成し、該データイネーブル信号ＤＥを表示同期信号等と共にソースドライバー２０に出力する。
【００７１】
図７に、図１のソースドライバー２０の構成例のブロック図を示す。
【００７２】
ソースドライバー２０は、データラッチ２２と、ラインラッチ２４と、多重化回路２６とを備えている。更にソースドライバー２０は、基準電圧発生回路（階調電圧発生回路）２８と、ＤＡＣ（Digital-to-Analog Converter、広義にはデータ電圧生成回路）３０と、ソース線駆動回路（駆動部）３２と、駆動制御部３４と、プリチャージ電圧発生回路３６とを備える。
【００７３】
データラッチ２２は、Ｉ／Ｆ部９６において取り込まれた画像データをラッチする。具体的には、Ｉ／Ｆ部９６において取り込まれた画像データのうちデータイネーブル信号ＤＥにより有効な画像データをラッチする。
【００７４】
ラインラッチ２４は、Ｉ／Ｆ部９６において取り込まれた表示同期信号のうち水平同期信号ＨＳＹＮＣに対応した表示用のラッチパルスＬＰに基づいて、データラッチ２２にラッチされた１水平走査期間分の画像データをラッチする。
【００７５】
多重化回路２６は、ラインラッチ２４にラッチされた各ソース線に対応する画像データを受け、８本分のソース線に対応する画像データを時分割多重し、各ソース信号供給線に対応する時分割多重された画像データを出力する。多重化回路２６は、駆動制御部３４からのデマルチプレクス用スイッチ信号ＳＥＬ１〜ＳＥＬ８に基づいて、画像データを多重化する。
【００７６】
駆動制御部３４は、極性反転信号ＰＯＬにより規定される極性反転周期で液晶パネル１２の液晶素子への印加電圧の極性が反転するように、ソースドライバー２０を構成する各部を制御する。駆動制御部３４は、例えばラッチパルスＬＰ、ソース電圧の時分割タイミングを規定するデマルチプレクス用スイッチ信号ＳＥＬ１〜ＳＥＬ８、プリチャージ電圧制御信号ＰＶＳを生成する。駆動制御部３４は、Ｉ／Ｆ部９６において取り込まれた水平同期信号ＨＳＹＮＣに対応して、表示用のタイミングに応じてラッチパルスＬＰを生成し、例えばラインラッチ２４に出力する。また、駆動制御部３４は、ソース線の駆動タイミングに応じてデマルチプレクス用スイッチ信号ＳＥＬ１〜ＳＥＬ８を生成し、デマルチプレクス用スイッチ信号ＳＥＬ１〜ＳＥＬ８を多重化回路２６及びデマルチプレクサーＤＭＵＸ１〜ＤＭＵＸＮに出力する。更に、駆動制御部３４は、ソース線のプリチャージの有無又はプリチャージ電圧に応じたプリチャージ電圧制御信号ＰＶＳを生成し、プリチャージ電圧制御信号ＰＶＳをプリチャージ電圧発生回路３６に出力する。なお、図７において、駆動制御部３４が制御するソースドライバー２０を構成する各部への制御信号については、詳細な図示を省略している。
【００７７】
このような駆動制御部３４は、画像データ取込回路９８によって取り込まれたコマンドデータに基づいて制御される。このコマンドデータは、ソース線のプリチャージのイネーブル情報、ソース線のプリチャージタイミング、ソース出力を複数のソース線に分割する分割タイミング、液晶パネル１２の表示周波数、ソース線のポストチャージタイミング、及び液晶パネル１２へのソース出力タイミングの少なくとも１つを指定するデータである。プリチャージのイネーブル情報は、マルチプレクス駆動前に行うプリチャージのイネーブル又はディセーブルを指定する情報である。プリチャージタイミングは、プリチャージのために行うデマルチプレクス用スイッチ信号ＳＥＬ１〜ＳＥＬ８それぞれの変化タイミングである。分割タイミングは、マルチプレクス駆動のために行うデマルチプレクス用スイッチ信号ＳＥＬ１〜ＳＥＬ８それぞれの変化タイミングである。表示周波数は、液晶パネル１２の駆動周波数に相当する。ポストチャージタイミングは、マルチプレクス駆動後に行うポストチャージのために行うデマルチプレクス用スイッチ信号ＳＥＬ１〜ＳＥＬ８それぞれの変化タイミングである。ソース出力タイミングは、マルチプレクス駆動の際のソース出力のタイミングである。これらのいずれかに対応したコマンドデータを受けた駆動制御部３４は、該コマンドデータに応じてソースドライバー２０の各部を制御し、ソースドライバー２０の駆動タイミングを制御することができる。
【００７８】
基準電圧発生回路２８は、複数の基準電圧（階調電圧）を生成し、ＤＡＣ３０に供給する。基準電圧発生回路２８は、例えば電源回路６０から供給される電圧レベルに基づいて、複数の基準電圧を生成する。
【００７９】
ＤＡＣ３０は、デジタルの画像データに基づいて、各ソース線に供給すべきアナログの階調電圧を生成する。具体的には、ＤＡＣ３０は、多重化回路２６からの時分割多重された画像データと、基準電圧発生回路２８からの複数の基準電圧を受けて、時分割多重された画像データに対応する時分割多重された階調電圧を生成する。
【００８０】
ソース線駆動回路３２は、ＤＡＣ３０からの階調電圧をバッファリング（広義にはインピーダンス変換）してソース信号供給線Ｓ１〜ＳＮにソース電圧を出力し、ソース線Ｓ１１〜Ｓ８１、Ｓ１２〜Ｓ８２、・・・、Ｓ１Ｎ〜Ｓ８Ｎを駆動する。例えば、ソース線駆動回路３２は、各ソース信号供給線に設けられたボルテージフォロワー接続の演算増幅器により、階調電圧をバッファリングする。このようなソース線駆動回路３２は、階調電圧に基づくソース線の駆動前にソース線のプリチャージを行うことができる。また、ソース線駆動回路３２は、階調電圧に基づくソース線の駆動後に、所与のポストチャージ電圧を用いてソース線のポストチャージを行うことができる。
【００８１】
プリチャージ電圧発生回路３６は、正極性及び負極性のそれぞれの極性について、１又は複数のプリチャージ電圧を生成し、ソース線駆動回路３２に出力する。プリチャージ電圧発生回路３６は、プリチャージ電圧制御信号ＰＶＳにより指定されたプリチャージ電圧を、該プリチャージ電圧制御信号ＰＶＳにより指定されたタイミングでソース線駆動回路３２に供給することができる。プリチャージ電圧発生回路３６は、例えば電源回路６０から供給される電圧レベルに基づいて、１又は複数のプリチャージ電圧を生成する。
【００８２】
図８に、図７の駆動制御部３４の構成例のブロック図を示す。
【００８３】
駆動制御部３４は、コマンドデコーダー１００と、第１の駆動タイミングレジスター１１０と、第２の駆動タイミングレジスター１１２と、セレクター１１４とを備えている。また、駆動制御部３４は、第１のプリチャージ電圧レジスター１２０と、第２のプリチャージ電圧レジスター１２２と、セレクター１２４とを備えている。更に、駆動制御部３４は、プリチャージ制御部１３０と、タイミング生成部１４０とを備えている。
【００８４】
コマンドデコーダー１００は、画像データ取込回路９８によって取り込まれたコマンドデータをデコードし、デコード結果に対応した制御信号を各部に出力する。例えばコマンドデコーダー１００は、コマンドデータのデコード結果をタイミング生成部１４０に出力することで、タイミング生成部１４０が生成する駆動タイミングを制御することができる。また、コマンドデコーダー１００は、コマンドデータのデコード結果に対応したソース線のプリチャージのイネーブル情報に基づいて、プリチャージ制御部１３０を制御することができる。更に、コマンドデコーダー１００は、第１の駆動タイミングレジスター１１０、第２の駆動タイミングレジスター１１２、第１のプリチャージ電圧レジスター１２０、又は第２のプリチャージ電圧レジスター１２２に、コマンドデータに対応した設定情報を設定する。
【００８５】
第１の駆動タイミングレジスター１１０には、３Ｄ映像を表示するための右目用画像（第１の画像）に対応した複数の駆動タイミングのタイミング情報が設定される。第２の駆動タイミングレジスター１１２には、３Ｄ映像を表示するための左目用画像（第２の画像）に対応した複数の駆動タイミングのタイミング情報が設定される。第１の駆動タイミングレジスター１１０又は第２の駆動タイミングレジスター１１２に設定されるタイミング情報は、複数の駆動タイミングのそれぞれのタイミングを規定する情報である。なお、タイミング情報は、予め用意された複数の駆動タイミングのいずれかを指定する情報であってもよい。
【００８６】
セレクター１１４は、第１の駆動タイミングレジスター１１０に設定されたタイミング情報又は第２の駆動タイミングレジスター１１２に設定されたタイミング情報の一方をタイミング生成部１４０に出力する。このセレクター１１４は、タイミング生成部１４０によって生成される選択信号に基づいて選択出力する。このとき、セレクター１１４では、プリチャージ制御部１３０によりタイミング情報のマスク制御が行われる。
【００８７】
第１のプリチャージ電圧レジスター１２０には、第１のプリチャージ電圧レベルに対応した設定情報が設定される。第２のプリチャージ電圧レジスター１２２には、第２のプリチャージ電圧レベルに対応した設定情報が設定される。第１のプリチャージ電圧レベルレジスター１２０又は第２のプリチャージ電圧レベルレジスター１２２に設定される設定情報は、それぞれのプリチャージ電圧レベルを指定する情報である。なお、設定情報は、予め用意された複数のプリチャージ電圧レベルのいずれかを指定する情報であってもよい。
【００８８】
セレクター１２４は、第１のプリチャージ電圧レジスター１２０に設定された設定情報又は第２のプリチャージ電圧レジスター１２２に設定された設定情報の一方を、プリチャージ電圧制御信号ＰＶＳとして図７のプリチャージ電圧発生回路３６に出力する。このセレクター１２４は、タイミング生成部１４０によって生成される選択信号に基づいて選択出力することで、タイミング生成部１４０により制御されるタイミングで選択出力することができる。このとき、セレクター１２４では、プリチャージ制御部１３０により設定情報のマスク制御が行われる。
【００８９】
プリチャージ制御部１３０は、ソース線のマルチプレクス駆動の前に行われるプリチャージの制御を行う。コマンドデータによりソース線のプリチャージのイネーブルが指定されたとき、プリチャージ制御部１３０は、ソース線をプリチャージした後にソース線のマルチプレクス駆動を行うように制御する。コマンドデータによりソース線のプリチャージのディセーブルが指定されたとき、プリチャージ制御部１３０は、ソース線をプリチャージすることなくソース線のマルチプレクス駆動を行うように制御する。これは、プリチャージ制御部１３０が、セレクター１１４で選択される駆動タイミングレジスターのタイミング情報をマスク制御することで実現することができる。
【００９０】
タイミング生成部１４０には、垂直同期信号ＶＳＹＮＣ、水平同期信号ＨＳＹＮＣ、画素クロックＣＬＫ、極性反転信号ＰＯＬ、コマンドデコーダー１００のデコード結果、及びセレクター１１４で選択出力されたタイミング情報が入力される。タイミング生成部１４０は、これらに基づいて駆動タイミングを生成し、該駆動タイミングに対応した表示用の同期信号であるラッチパルスＬＰ、デマルチプレクス用スイッチ信号ＳＥＬ１〜ＳＥＬ８等を生成する。
【００９１】
これにより、ソースドライバー２０（ソース線駆動回路３２）は、右目用画像に対応した複数の駆動タイミングのそれぞれのタイミングで、順次、第１のプリチャージ電圧レベルにソース線をプリチャージした後にマルチプレクス駆動を行うことができる。このとき、右目用画像に対応した駆動タイミングのうちプリチャージがディセーブルに指定される駆動タイミングでは、そのままマルチプレクス駆動が行われる。即ち、ソースドライバー２０は、右目用画像に対応した複数の駆動タイミングの少なくとも１つの駆動タイミングで、第１のプリチャージ電圧レベルにソース線をプリチャージした後にマルチプレクス駆動を行うことができる。
【００９２】
また、ソースドライバー２０は、左目用画像に対応した複数の駆動タイミングのそれぞれのタイミングで、順次、第２のプリチャージ電圧レベルにソース線をプリチャージした後にマルチプレクス駆動を行うことができる。このとき、左目用画像に対応した駆動タイミングのうちプリチャージがディセーブルに指定される駆動タイミングでは、そのままマルチプレクス駆動が行われる。即ち、ソースドライバー２０は、左目用画像に対応した複数の駆動タイミングの少なくとも１つの駆動タイミングで、第２のプリチャージ電圧レベルにソース線をプリチャージした後にマルチプレクス駆動を行うことができる。
【００９３】
以上のような構成を有する駆動装置５０は、次のように制御される。
【００９４】
図９及び図１０に、第１の実施形態における駆動装置５０による液晶パネル１２の表示駆動の制御例のフロー図を示す。図１０は、図９のステップＳＴ５８の詳細な制御例のフロー図を表す。
【００９５】
まず、駆動装置５０は、第１の駆動タイミングレジスター１１０に、右目用画像に対応した複数の右目用駆動タイミングのタイミング情報を設定する（ステップＳＴ５０、右目用駆動タイミング設定ステップ）。これは、画像データ供給装置７０からのコマンドデータを取り込むことにより実現される。従って、１水平走査期間毎又は１垂直走査期間毎に、右目用画像に対応したタイミング情報を設定することができる。
【００９６】
続いて、駆動装置５０は、第１のプリチャージ電圧レジスター１２０に、右目用画像に対応したソース線の第１のプリチャージ電圧レベルに対応した設定情報を設定する（ステップＳＴ５２、プリチャージ電圧レベル設定ステップ）。これは、画像データ供給装置７０からのコマンドデータを取り込むことにより実現される。なお、ステップＳＴ５０において、ソース線のプリチャージを行わないと指定されたとき、ステップＳＴ５２を省略してもよい。
【００９７】
次に、駆動装置５０は、第２の駆動タイミングレジスター１１２に、左目用画像に対応した複数の左目用駆動タイミングのタイミング情報を設定する（ステップＳＴ５４、左目用駆動タイミング設定ステップ）。これは、画像データ供給装置７０からのコマンドデータを取り込むことにより実現される。従って、１水平走査期間毎又は１垂直走査期間毎に、左目用画像に対応したタイミング情報を設定することができる。
【００９８】
続いて、駆動装置５０は、第２のプリチャージ電圧レジスター１２２に、右目用画像に対応したソース線の第２のプリチャージ電圧レベルに対応した設定情報を設定する（ステップＳＴ５６、プリチャージ電圧レベル設定ステップ）。これは、画像データ供給装置７０からのコマンドデータを取り込むことにより実現される。なお、ステップＳＴ５４において、ソース線のプリチャージを行わないと指定されたとき、ステップＳＴ５６を省略してもよい。
【００９９】
その後、駆動装置５０は、ステップＳＴ５０又はステップＳＴ５４で設定されたタイミング情報に対応した複数の駆動タイミングを生成する。駆動装置５０は、ステップＳＴ５２又はステップＳＴ５６で設定された設定情報に対応したプリチャージ電圧を用いながら、順次、各駆動タイミングで液晶パネル１２の表示駆動を行う（ステップＳＴ５８、エンド）。
【０１００】
ステップＳＴ５８では、図１０に示すように、駆動装置５０は、右目用駆動タイミングのタイミング情報に基づいて最初の駆動タイミングを生成し（ステップＳＴ７０）、該駆動タイミングでマルチプレクス駆動を行う。
【０１０１】
具体的には、駆動装置５０は、ステップＳＴ７０で生成した最初の駆動タイミングにおいてプリチャージがイネーブルに指定されたか否かを判定する（ステップＳＴ７２）。プリチャージがイネーブルに指定されているとき（ステップＳＴ７２：Ｙ）、駆動装置５０は、ステップＳＴ５２で設定された設定情報に対応したプリチャージ電圧を用いて、ソース線のプリチャージを行う（ステップＳＴ７４）。プリチャージがディセーブルに指定されているとき（ステップＳＴ７２：Ｎ）、又はステップＳＴ７４に続き、駆動装置５０は、生成した最初の駆動タイミングで、右目用画像の画像データに基づきマルチプレクス駆動を行う（ステップＳＴ７６）。ステップＳＴ７０〜ステップＳＴ７６は、右目用駆動ステップに相当する。
【０１０２】
ステップＳＴ５０で設定されたタイミング情報に基づき次の右目用駆動タイミングがあるとき（ステップＳＴ７８：Ｙ）、駆動装置５０は、ステップＳＴ７２に戻る。一方、次の右目用駆動タイミングがないとき（ステップＳＴ７８：Ｎ）、駆動装置５０は、左目用駆動タイミングのタイミング情報に基づいて最初の駆動タイミングを生成し（ステップＳＴ８０）、該駆動タイミングでマルチプレクス駆動を行う。
【０１０３】
具体的には、駆動装置５０は、ステップＳＴ８０で生成した最初の駆動タイミングにおいてプリチャージがイネーブルに指定されたか否かを判定する（ステップＳＴ８２）。プリチャージがイネーブルに指定されているとき（ステップＳＴ８２：Ｙ）、駆動装置５０は、ステップＳＴ５６で設定された設定情報に対応したプリチャージ電圧を用いて、ソース線のプリチャージを行う（ステップＳＴ８４）。プリチャージがディセーブルに指定されているとき（ステップＳＴ８２：Ｎ）、又はステップＳＴ８４に続き、駆動装置５０は、生成した最初の駆動タイミングで、左目用画像の画像データに基づきマルチプレクス駆動を行う（ステップＳＴ８６）。ステップＳＴ８０〜ステップＳＴ８６は、左目用駆動ステップに相当する。
【０１０４】
ステップＳＴ５４で設定されたタイミング情報に基づき次の左目用駆動タイミングがあるとき（ステップＳＴ８８：Ｙ）、駆動装置５０は、ステップＳＴ８２に戻る。一方、ステップＳＴ８８において次の左目用駆動タイミングがないとき（ステップＳＴ８８：Ｎ）、駆動装置５０は、次の右目用画像があるか否かを判定する（ステップＳＴ９０）。次の右目用画像があるとき（ステップＳＴ９０：Ｙ）、駆動装置５０は、ステップＳＴ７０に戻り、制御を継続する。一方、次の右目用画像がないとき（ステップＳＴ９０：Ｎ）、駆動装置５０は、一連の処理を終了する（エンド）。
【０１０５】
以上説明したように、第１の実施形態における駆動装置５０では、右目用画像及び左目用画像それぞれについて複数の駆動タイミングを設定できると共に、複数のプリチャージ電圧レベルを設定することができる。これにより、３Ｄ映像のように高速に画素に書き込む必要があるときには、右目用画像及び左目用画像それぞれについて、駆動タイミングを変更しながら交互に表示させることができるようになる。また、右目用画像及び左目用画像それぞれについて、ソース線のプリチャージを行ったり、該プリチャージを省いたりすることができるので、極性反転駆動における正極性期間のみを長くすることもできる。そのため、対向電極の最適電圧が極性反転駆動を繰り返すと共にずれてくるという現象を解消することができるようになる。
【０１０６】
〔電子機器〕
第１の実施形態における液晶表示装置１０又は駆動装置５０は、次のような電子機器に適用することができる。以下、第１の実施形態における液晶表示装置１０が、電子機器としての液晶プロジェクターに適用される例を説明する。
【０１０７】
図１１に、第１の実施形態における液晶表示装置１０が適用されるプロジェクターシステムの構成の概要を示す。図１１は、液晶シャッターめがねを利用したプロジェクターシステムの構成の概要を表す。
図１２に、図１１の光学系の構成の概要を示す。図１２では、図１１のプロジェクターが、いわゆる３板式の液晶プロジェクターにより構成されるものとして説明するが、これに限定されるものではない。なお、図１２において図１１と同様の部分には同一符号を付し、適宜説明を省略する。
【０１０８】
プロジェクターシステム２００は、液晶プロジェクター２１０と、液晶シャッターめがね２５０と、スクリーン２６０とを備えている。液晶プロジェクター２１０は、液晶パネル制御部２２０と、タイミング生成部２３０と、赤外線送信部２４０と、光学系３００とを備えている。
【０１０９】
光学系３００は、光源装置３１０と、画像形成ユニット３２０と、投射光学系３４０とを備えている。光源装置３１０は、光源３１２と、一対のレンズアレイ３１４と、重畳レンズ３１６とを含んで構成される。画像形成ユニット３２０は、ダイクロイックミラー３２２、３２４、反射ミラー３２６、３２８、３３０、リレーレンズ３３２、３３４、光変調装置としての液晶装置３３６Ｒ、３３６Ｇ、３３６Ｂ、クロスダイクロイックプリズム３３８を含む。液晶装置３３６Ｒ、３３６Ｇ、３３６Ｂのそれぞれは、図１の液晶パネル１２を含んで構成される液晶表示装置１０と同様の構成を有する透過型の液晶表示装置であり、入射された光を変調する。ダイクロイックミラー３２２は、光源装置３１０からの光を、赤色光（Ｒ）とそれ以外の色成分の光（緑色光（Ｇ）及び青色光（Ｂ））とに分離する。ダイクロイックミラー３２２によって分離された赤色光は、反射ミラー３２６によって液晶装置３３６Ｒに入射面に導かれる。ダイクロイックミラー３２２によって分離された緑色光及び青色光は、ダイクロイックミラー３２４によって緑色光と青色光とに分離される。ダイクロイックミラー３２４によって分離された緑色光は、液晶装置３３６Ｇの入射面に入射される。ダイクロイックミラー３２４によって分離された青色光は、リレーレンズ３３２、３３４を介して、反射ミラー３２８、３３０によって液晶装置３３６Ｂの入射面に導かれる。
【０１１０】
液晶装置３３６Ｒは、赤色光を変調する。液晶装置３３６Ｇは、緑色光を変調する。液晶装置３３６Ｂは、青色光を変調する。これらの液晶装置３３６Ｒ、３３６Ｇ、３３６Ｂによって変調される各色光は、クロスダイクロイックプリズム３３８によって合成される。
【０１１１】
投射光学系３４０は、クロスダイクロイックプリズム３３８によって合成された光により形成される画像を拡大してスクリーン上で結像する。
【０１１２】
液晶パネル制御部２２０は、赤色光（Ｒ）、緑色光（Ｇ）及び青色光（Ｂ）の各色光毎に、対応する液晶装置を駆動制御し、色光毎に変調する制御を行う。タイミング生成部２３０は、液晶パネル制御部２２０の駆動タイミングに対応した液晶シャッタータイミングを生成する。赤外線送信部２４０は、タイミング生成部２３０によって生成された液晶シャッタータイミングを、液晶シャッターめがね２５０に送信する。
【０１１３】
液晶シャッターめがね２５０は、赤外線受信部２５２と、液晶シャッター制御部２５４と、液晶シャッター部２５６とを備えている。赤外線受信部２５２は、赤外線送信部２４０によって送信された液晶シャッタータイミングを受信すると、該タイミングを液晶シャッター制御部２５４に通知する。液晶シャッター制御部２５４は、このタイミングに同期して、液晶シャッター部２５６のシャッター制御を行う。
【０１１４】
このようなプロジェクターシステム２００において、液晶プロジェクター２１０は、右目用画像の各色成分の画像に対応した画像データに基づいて、液晶装置３３６Ｒ、３３６Ｇ、３３６Ｂが一斉に駆動される。その後、左目用画像の各色成分の画像に対応した画像データに基づいて、液晶装置３３６Ｒ、３３６Ｇ、３３６Ｂが一斉に駆動される。即ち、液晶プロジェクター２１０は、右目用画像と左目用画像とを時分割でスクリーン２６０に投射する。液晶シャッターめがね２５０は、原則として、液晶プロジェクター２１０と同期して、右目用画像が表示されているときは左目を遮光し、左目用画像が表示されているときは右目を遮光するようにシャッター制御を行う。
【０１１５】
このとき、液晶装置３３６Ｒ、３３６Ｇ、３３６Ｂは、以下のように制御することで、高精細化及び３Ｄ映像化に伴う画素の書き込み不足を解消し、且つ、対向電極の最適電圧のずれを防止する。
【０１１６】
図１３に、図１１又は図１２の液晶装置３３６Ｒ、３３６Ｇ、３３６Ｂの制御例の説明図を示す。
【０１１７】
液晶装置３３６Ｒ、３３６Ｇ、３３６Ｂを構成する駆動装置（図１の駆動装置５０に相当）には、右目用画像及び左目用画像のそれぞれについて、３種類の駆動タイミングが設定される。まず、駆動装置は、連続する３フレームのそれぞれを各駆動タイミングで右目用画像に対応した画像データに基づいて液晶パネル（図１の液晶パネル１２に相当）を駆動する。１フレーム目は、表示周波数が４８０Ｈｚ、プリチャージ「無」で右目用画像を表示する。次の２フレーム目では、表示周波数が４８０Ｈｚ、プリチャージ「無」で右目用画像を表示する。続く３フレーム目では、表示周波数が２４０Ｈｚ、プリチャージ「有」で右目用画像を表示する。即ち、各画像の表示周波数が直前の画像の表示周波数以下となるように液晶パネルが駆動される。これにより、クロストークを低減すると共に、表示に影響する最後の画像のみ画素の書き込み時間を確保することができる。
【０１１８】
なお、２フレーム目は、プリチャージ「有」でもよい。即ち、同一の表示周波数で連続する第１の画像〜第ｐ（ｐは２以上の整数）の画像の各画像データに基づいて駆動する場合、第１の画像に対応した画像データに基づいて駆動するときはソース線をプリチャージすることなくマルチプレクス駆動を行う。そして、第ｐの画像に対応した画像データに基づいて駆動するときはソース線をプリチャージした後にマルチプレクス駆動を行う。こうすることで、プリチャージ時間を省略して、画素の書き込み時間を確保する一方、表示に影響する最後の画像については、プリチャージ時間を確保して、表示に影響がないようにすることができる。
【０１１９】
第１の実施形態では、プリチャージのイネーブル情報によりマスク制御を行うため、ソースドライバー（図１のソースドライバー２０に相当）に設定される駆動タイミングは２種類で済み、具体的には第１の駆動タイミングレジスターに設定される。
【０１２０】
同様に、駆動装置は、連続する３フレームのそれぞれを各駆動タイミングで左目用画像に対応した画像データに基づいて液晶パネルを駆動する。１フレーム目は、表示周波数が４８０Ｈｚ、プリチャージ「無」で左目用画像を表示する。次の２フレーム目では、表示周波数が４８０Ｈｚ、プリチャージ「無」で左目用画像を表示する。続く３フレーム目では、表示周波数が２４０Ｈｚ、プリチャージ「有」で左目用画像を表示する。即ち、各画像の表示周波数が直前の画像の表示周波数以下となるように液晶パネルが駆動される。
【０１２１】
なお、２フレーム目は、プリチャージ「有」でもよい。即ち、同一の表示周波数で連続する第１の画像〜第ｐの画像の各画像データに基づいて駆動する場合、第１の画像に対応した画像データに基づいて駆動するときはソース線をプリチャージすることなくマルチプレクス駆動を行う。そして、第ｐの画像に対応した画像データに基づいて駆動するときはソース線をプリチャージした後にマルチプレクス駆動を行う。こうすることで、プリチャージ時間を省略して、画素の書き込み時間を確保する一方、表示に影響する最後の画像については、プリチャージ時間を確保して、表示に影響がないようにすることができる。
【０１２２】
第１の実施形態では、プリチャージのイネーブル情報によりマスク制御を行うため、ソースドライバーに設定される駆動タイミングは２種類で済み、具体的には第２の駆動タイミングレジスターに設定される。
【０１２３】
以上のような設定を行うことで、右目用画像及び左目用画像それぞれについて、液晶シャッター部２５６は、図１３に示すようなタイミングで開閉制御を行うことで、高精細な３Ｄ映像を表示することができるようになる。
【０１２４】
このとき、右目用画像及び左目用画像のそれぞれについて、プリチャージ電圧は次のように設定することが望ましい。
【０１２５】
図１４に、プリチャージ電圧レベルの設定例の説明図を示す。図１４に示すプリチャージ電圧レベルに対応した設定情報が、図８の第１のプリチャージ電圧レジスター１２０及び第２のプリチャージ電圧レジスター１２２に設定される。
【０１２６】
第１のプリチャージ電圧レジスター１２０には、表示周波数が４８０Ｈｚのときの正極性用のプリチャージ電圧レベル及び負極性用のプリチャージ電圧レベルのそれぞれに対応した設定情報が設定される。正極性用のプリチャージ電圧レベル及び負極性用のプリチャージ電圧レベルのそれぞれは、負極性のセンター電圧であることが望ましい。正極性の最高電圧と負極性の最低電圧のほぼ中間のセンター電圧をＶＣとすると、負極性のセンター電圧は、負極性の最低電圧とセンター電圧ＶＣのほぼ中間の電圧である。これにより、極性反転駆動の正極性期間が短くなったとしても、直前のソース線の電圧レベルにかかわらずソース線のプリチャージを確実に行うことができるようになる。
【０１２７】
第２のプリチャージ電圧レジスター１２２には、表示周波数が２４０Ｈｚのときの正極性用のプリチャージ電圧レベル及び負極性用のプリチャージ電圧レベルのそれぞれに対応した設定情報が設定される。正極性用のプリチャージ電圧レベルは、センター電圧ＶＣであることが望ましい。負極性用のプリチャージ電圧レベルは、負極性のセンター電圧であることが望ましい。これにより、極性反転駆動の負極性期間が短くなったとしても、直前のソース線の電圧レベルにかかわらずソース線のプリチャージを確実に行うことができるようになる。
【０１２８】
図１５に、第１の実施形態の比較例におけるマルチプレクス駆動の駆動タイミングの一例を示す。図１５は、デマルチプレクス用スイッチ信号ＳＥＬ１〜ＳＥＬ８のタイミングの一例を表す。
【０１２９】
ソース線のプリチャージは、デマルチプレクス用スイッチ信号ＳＥＬ１〜ＳＥＬ８をすべてオン制御（Ｈレベルにする）することで、プリチャージ電圧が各ソース線に供給される。その後に行われるソース線の駆動は、デマルチプレクス用スイッチ信号ＳＥＬ１〜ＳＥＬ８のいずれか１つをオン制御することで、対応するソース線に階調電圧が供給される。ところが、デマルチプレクス用スイッチ信号ＳＥＬ１〜ＳＥＬ８のそれぞれは、直前の階調電圧が供給されないように十分なオフ−オフ期間Ｔｏｆｆを有する必要がある。そのため、プリチャージタイミングや駆動タイミングが固定される場合、画素への書き込み時間を短くしようとしても、デマルチプレクス用スイッチ信号ＳＥＬ１〜ＳＥＬ８のオフ−オフ期間Ｔｏｆｆを短縮できないため、信号駆動時間が短くなってしまう。
【０１３０】
図１６に、第１の実施形態におけるマルチプレクス駆動の駆動タイミングの一例を示す。図１６は、右目用画像の１フレーム目〜３フレーム目までのデマルチプレクス用スイッチ信号ＳＥＬ１〜ＳＥＬ８のタイミングの一例を表す。
【０１３１】
図１５の比較例に対して、第１の実施形態によれば、プリチャージを適宜省略することで、十分なオフ−オフ期間Ｔｏｆｆを確保しながら、右目用画像の書き込み時間を確保することができる。最低でも、１フレーム目のプリチャージ期間及びこれに続くオフ−オフ期間に相当する階調出力時間を広くとることができるようになる。
【０１３２】
以上説明したように、第１の実施形態における液晶表示装置１０が適用された液晶プロジェクター２１０によれば、高精細な３Ｄ映像を表示することができるようになる。
【０１３３】
〔第２の実施形態〕
第１の実施形態では、正極性用のプリチャージ電圧レベル及び負極性用のプリチャージ電圧レベルを外部から設定できるようにしていたが、これに限定されるものではない。第２の実施形態では、内部で正極性用のプリチャージ電圧レベル及び負極性用のプリチャージ電圧レベルを決定することで、プリチャージの最適化を図る。以下では、第１の実施形態と異なる部分についてのみ説明する。
【０１３４】
図１７に、第２の実施形態における駆動制御部の構成例のブロック図を示す。図１７において、図８と同様の部分には同一符号を付し、適宜説明を省略する。
【０１３５】
第２の実施形態における駆動制御部３４ａは、駆動制御部３４に代えて図７のソースドライバー２０に適用することができる。駆動制御部３４ａは、コマンドデコーダー１００ａと、第１の駆動タイミングレジスター１１０と、第２の駆動タイミングレジスター１１２と、セレクター１１４とを備えている。また、駆動制御部３４ａは、プリチャージ制御部１３０ａと、タイミング生成部１４０ａと、演算回路１５０と、プリチャージ電圧制御テーブル１６０とを備えている。
【０１３６】
コマンドデコーダー１００ａは、画像データ取込回路９８によって取り込まれたコマンドデータをデコードし、デコード結果に対応した制御信号を各部に出力する。例えばコマンドデコーダー１００ａは、コマンドデータのデコード結果をタイミング生成部１４０ａに出力することで、タイミング生成部１４０ａが生成する駆動タイミングを制御することができる。また、例えばコマンドデコーダー１００ａは、コマンドデータのデコード結果に対応したソース線のプリチャージのイネーブル情報に基づいて、プリチャージ制御部１３０ａを制御することができる。更に、コマンドデコーダー１００ａは、第１の駆動タイミングレジスター１１０、第２の駆動タイミングレジスター１１２に、コマンドデータに対応した設定情報を設定する。
【０１３７】
セレクター１１４は、第１の駆動タイミングレジスター１１０に設定されたタイミング情報又は第２の駆動タイミングレジスター１１２に設定されたタイミング情報の一方をタイミング生成部１４０に出力する。このセレクター１１４は、タイミング生成部１４０ａによって生成される選択信号に基づいて選択出力する。このとき、セレクター１１４では、プリチャージ制御部１３０ａによりタイミング情報のマスク制御が行われる。
【０１３８】
演算回路１５０は、当該１水平走査期間分の各画素の画像データの総和と直前の１水平走査期間分の各画素の画像データの総和との差分を求め、該差分に対応した差分データをプリチャージ電圧制御テーブル１６０に出力する。プリチャージ電圧制御テーブル１６０には、予め差分データに対応したプリチャージ電圧レベルがテーブル化されており、演算回路１５０からの差分データに対応したプリチャージ電圧制御信号ＰＶＳを出力する。プリチャージ電圧発生回路３６は、プリチャージ電圧制御信号ＰＶＳに対応したプリチャージ電圧を出力する。
【０１３９】
プリチャージ制御部１３０ａは、ソース線のマルチプレクス駆動の前に行われるプリチャージの制御を行う。コマンドデータによりソース線のプリチャージのイネーブルが指定されたとき、プリチャージ制御部１３０ａは、ソース線をプリチャージした後にソース線のマルチプレクス駆動を行うように制御する。コマンドデータによりソース線のプリチャージのディセーブルが指定されたとき、プリチャージ制御部１３０ａは、ソース線をプリチャージすることなくソース線のマルチプレクス駆動を行うように制御する。これは、プリチャージ制御部１３０ａが、セレクター１１４で選択される駆動タイミングレジスターのタイミング情報をマスク制御することで実現することができる。
【０１４０】
プリチャージ制御部１３０ａは、ソース線のプリチャージを行うように制御するとき、プリチャージ電圧制御テーブル１６０によるプリチャージ電圧制御信号ＰＶＳの出力をイネーブルに設定する。
【０１４１】
タイミング生成部１４０ａには、垂直同期信号ＶＳＹＮＣ、水平同期信号ＨＳＹＮＣ、極性反転信号ＰＯＬ、画素クロックＣＬＫ、コマンドデコーダー１００ａのデコード結果、及びセレクター１１４で選択出力されたタイミング情報が入力される。タイミング生成部１４０ａは、これらに基づいて駆動タイミングを生成し、該駆動タイミングに対応した表示用の同期信号であるラッチパルスＬＰ、デマルチプレクス用スイッチ信号ＳＥＬ１〜ＳＥＬ８等を生成する。
【０１４２】
以上のような第２の実施形態によれば、直前の１水平走査期間分の画像データ及び当該１水平走査期間分の画像データに対応したプリチャージ電圧レベルにソース線をプリチャージした後にマルチプレクス駆動を行うことができるようになる。このとき、プリチャージ電圧レベルを最適化することができるので、短期間でも確実にプリチャージを行うことができるようになる。
【０１４３】
以上、本発明に係る表示駆動方法、駆動装置、電気光学装置及び電子機器等を上記のいずれかの実施形態に基づいて説明したが、本発明は上記のいずれかの実施形態に限定されるものではない。例えば、その要旨を逸脱しない範囲において種々の態様において実施することが可能であり、次のような変形も可能である。
【０１４４】
（１）上記のいずれかの実施形態では、液晶表示装置１０の構成を図１に示す構成を例に説明したが、本発明はこれに限定されるものではない。また、上記のいずれかの実施形態では、駆動装置５０の構成を図７に示す構成を例に説明したが、本発明はこれに限定されるものではない。更に、上記のいずれかの実施形態では、駆動制御部を図８又は図１７に示す構成を例に説明したが、本発明はこれらに限定されるものではない。
【０１４５】
（２）上記のいずれかの実施形態において、画像データのビット幅が１２ビット、表示同期データが２４ビット単位であるものとして説明したが、本発明は、画像データのビット幅や表示同期データのビット数に限定されるものではない。
【０１４６】
（３）上記のいずれかの実施形態では、プロジェクターシステムが、リア投写型のシステムを例に説明したが、本発明はこれに限定されるものではない。例えば、本発明に係るプロジェクターシステムが、フロント投写型のシステムであってもよい。
【０１４７】
（４）上記のいずれかの実施形態における液晶表示装置１０又は駆動装置５０が適用される電子機器として、図１７に示すものに限定されるものではない。例えば、携帯電話機、パーソナルコンピューター、情報携帯端末（ＰＤＡ：Personal Digital Assistants）、デジタルスチルカメラ、テレビ、ビデオカメラ、カーナビゲーション装置、ページャー、電子手帳、電子ペーパー、電卓、ワードプロセッサー、ワークステーション、テレビ電話、ＰＯＳ（Point of sale system）端末、プリンター、スキャナー、複写機、ビデオプレーヤー、タッチパネルを備えた機器等が挙げられる。
【０１４８】
（５）上記の実施形態において、本発明を表示駆動方法、駆動装置、電気光学装置及び電子機器等として説明したが、本発明はこれに限定されるものではない。例えば、上記のいずれかの実施形態における画像表示方法等であってもよい。
【符号の説明】
【０１４９】
１０…液晶表示装置、  １２…液晶パネル、  ２０…ソースドライバー、
２２…データラッチ、  ２４…ラインラッチ、  ２６…多重化回路、
２８…基準電圧発生回路、  ３０…ＤＡＣ、  ３２…ソース線駆動回路（駆動部）、
３４，３４ａ…駆動制御部、  ４０…ゲートドライバー、  ５０…駆動装置、
６０…電源回路、  ７０…画像データ供給装置、  ７２…送信Ｉ／Ｆ回路、
９６…Ｉ／Ｆ部、  ９７…受信Ｉ／Ｆ回路、  ９８…画像データ取込回路、
１００，１００ａ…コマンドデコーダー、  １１０…第１の駆動タイミングレジスター、
１１２…第２の駆動タイミングレジスター、  １１４，１２４…セレクター、
１２０…第１のプリチャージ電圧レジスター、
１２２…第２のプリチャージ電圧レジスター、
１３０，１３０ａ…プリチャージ制御部、
１４０，１４０ａ，２３０…タイミング生成部、  １５０…演算回路、
１６０…プリチャージ電圧制御レジスター、  ２００…プロジェクターシステム、
２１０…液晶プロジェクター、  ２２０…液晶パネル制御部、  ２４０…赤外線送信部、
２５０…液晶シャッターめがね、  ２５２…赤外線受信部、
２５４…液晶シャッター制御部、  ２５６…液晶シャッター部、  ２６０…スクリーン、
３００…光学系、  ３１０…光源装置、  ３１２…光源、  ３１４…レンズアレイ、
３１６…重畳レンズ、  ３２０…画像形成ユニット、
３２２，３２４…ダイクロイックミラー、  ３２６，３２８，３３０…反射ミラー、
３３２，３３４…リレーレンズ、  ３３８…クロスダイクロイックプリズム、
３４０…投射光学系
【図１】
0005742252.tif 000002
【図２】
0005742252.tif 000003
【図３】
0005742252.tif 000004
【図４】
0005742252.tif 000005
【図５】
0005742252.tif 000006
【図６】
0005742252.tif 000007
【図７】
0005742252.tif 000008
【図８】
0005742252.tif 000009
【図９】
0005742252.tif 000010
【図１０】
0005742252.tif 000011
【図１１】
0005742252.tif 000012
【図１２】
0005742252.tif 000013
【図１３】
0005742252.tif 000014
【図１４】
0005742252.tif 000015
【図１５】
0005742252.tif 000016
【図１６】
0005742252.tif 000017
【図１７】
0005742252.tif 000018